(57)【要約】【課題】プロセスカートリッジ付属の不揮発性メモリの故障を検出して、当該故障に対処することができるようにした、画像形成装置および情報管理システムを提供すること目的とする。【解決手段】不揮発性メモリを備えたプロセスカートリッジが着脱自在な画像形成装置において、前記メモリとデータの送受信をする通信手段と、前記メモリの故障を検出する故障検出手段と、前記メモリが故障しているか否かを示す故障情報を有する記憶媒体とを備え、前記メモリの故障を検出した時には前記故障情報のフラグを立てるようにした。【選択図】        図１
2006220920.tif 000002
【特許請求の範囲】
【請求項１】
不揮発性メモリを備えたプロセスカートリッジが着脱自在な画像形成装置において、
前記メモリとデータの送受信をする通信手段と、
前記メモリの故障を検出する故障検出手段と、
前記メモリが故障しているか否かを示す故障情報を有する記憶媒体とを備え、
前記メモリの故障を検出した時には前記故障情報のフラグを立てることを特徴とする画像形成装置。
【請求項２】
さらに、ネットワークに接続する手段と、
ネットワークを介してメモリ情報要求信号を送出する手段と、ネットワークを介して受信したメモリ情報を記憶する手段とを備えたことを特徴とする請求項１記載の画像形成装置。
【請求項３】
さらに、前記プロセスカートリッジ付属のＩＣタグが故障し、前記故障情報のフラグが立っている場合、前記ＩＣタグ内で管理する使用履歴に関わるプロセスカートリッジ情報を前記記憶媒体で管理する手段を備えたことを特徴とする請求項１または請求項２記載の画像形成装置。
【請求項４】
不揮発性メモリを備えたプロセスカートリッジが着脱自在な画像形成装置と、前記プロセスカートリッジの不揮発性メモリに記憶されるメモリ情報とを登録した情報管理装置を、ネットワークを介して接続したメモリ情報管理システムにおいて、
前記画像形成装置は、前記メモリとデータの送受信をする通信手段と、前記メモリの故障を検出する故障検出手段と、前記メモリが故障しているか否かを示す故障情報を有する記憶媒体を備えるとともに、
前記情報管理装置は、前記プロセスカートリッジに装着された不揮発性メモリの情報を管理するメモリ情報管理手段と、ネットワーク識別手段と、メモリ情報をネットワークを介して送信する手段とを備え、
前記プロセスカートリッジを前記画像形成装置に装着し、前記不揮発性メモリの故障を検出した場合、前記画像形成装置にプロセスカートリッジのシリアルナンバーを入力することで、ネットワーク経由で前記情報管理装置よりメモリ情報を取得するようにしたことを特徴とするメモリ情報管理システム。
【請求項５】
不揮発性メモリを備えたプロセスカートリッジが着脱自在な画像形成装置と、前記プロセスカートリッジの不揮発性メモリに記憶されるメモリ情報とを登録した情報管理装置を、ネットワークを介して接続したメモリ情報管理システムにおいて、
前記画像形成装置は、前記メモリとデータの送受信をする通信手段と、前記メモリの故障を検出する故障検出手段と、前記メモリが故障しているか否かを示す故障情報を有する記憶媒体と、前記プロセスカートリッジ付属のＩＣタグが故障し、前記故障情報のフラグが立っている場合に前記ＩＣタグ内で管理する使用履歴に関わるプロセスカートリッジ情報を前記記憶媒体で管理する手段を備えるとともに、
前記メモリ情報管理装置は、前記プロセスカートリッジに装着された不揮発性メモリの情報を管理するメモリ情報管理手段と、ネットワーク識別手段と、受信した情報に従ってメモリ情報を更新するメモリ情報更新手段とを備え、
前記画像形成装置において管理した使用履歴に関わるプロセスカートリッジ情報を、前記メモリ情報管理装置が更新、管理できることを特徴とするメモリ情報管理システム。
【発明の詳細な説明】
【技術分野】
【０００１】
本発明は、不揮発性メモリを備えたプロセスカートリッジが着脱自在な画像形成装置、および、不揮発性メモリを備えたプロセスカートリッジが着脱自在な画像形成装置と、前記プロセスカートリッジの不揮発性メモリに記憶されるメモリ情報とを登録した情報管理装置を、ネットワークを介して接続したメモリ情報管理システムに関する。
【背景技術】
【０００２】
従来、画像形成装置において、画像プロセスに必要な消耗材等を供給するプロセスカートリッジにＩＣタグ等の不揮発性メモリを装着させているものがある。この不揮発性メモリにはプロセスカートリッジの制御等に必要な情報を記憶されている。例えば、プロセスカートリッジの不揮発性メモリに記憶される情報としては、露光量、帯電量、現像バイアスなどの作像条件、カートリッジロット、製造年月日、種類、存期間使認識番号、用開始年月日、コピー枚数、リサイクル回数、リサイクル回数の上限、カートリッジの構成部品の交換時期、充填量、種類、保存期間、等がある。
【０００３】
このようなプロセスカートリッジを用いる画像形成装置においては、プロセスカートリッジが装着された際、前記不揮発性メモリの情報を画像形成装置本体が読み取り、その情報を元にプロセス条件の最適化が行われている（特許文献１参照）。
【特許文献１】特開２００３−３０２８７９号公報
【発明の開示】
【発明が解決しようとする課題】
【０００４】
しかしながら、ＩＣタグを貼付した物流試験等において、いくつかのＩＣタグの破壊、故障等の報告がなされている。そこで画像形成装置は前記不揮発性メモリの故障を検出する手段が必要だと考えられる。
【０００５】
本発明は、かかる実情に鑑みてなされたものであり、プロセスカートリッジ付属の不揮発性メモリの故障を検出して、当該故障に対処することができるようにした、画像形成装置および情報管理システムを提供すること目的とする。
【課題を解決するための手段】
【０００６】
本発明は、不揮発性メモリを備えたプロセスカートリッジが着脱自在な画像形成装置において、前記メモリとデータの送受信をする通信手段と、前記メモリの故障を検出する故障検出手段と、前記メモリが故障しているか否かを示す故障情報を有する記憶媒体とを備え、前記メモリの故障を検出した時には前記故障情報のフラグを立てるようにしたものである。また、さらに、ネットワークに接続する手段と、ネットワークを介してメモリ情報要求信号を送出する手段と、ネットワークを介して受信したメモリ情報を記憶する手段とを備えたものである。また、さらに、前記プロセスカートリッジ付属のＩＣタグが故障し、前記故障情報のフラグが立っている場合、前記ＩＣタグ内で管理する使用履歴に関わるプロセスカートリッジ情報を前記記憶媒体で管理する手段を備えたものである。
【０００７】
また、不揮発性メモリを備えたプロセスカートリッジが着脱自在な画像形成装置と、前記プロセスカートリッジの不揮発性メモリに記憶されるメモリ情報とを登録した情報管理装置を、ネットワークを介して接続したメモリ情報管理システムにおいて、前記画像形成装置は、前記メモリとデータの送受信をする通信手段と、前記メモリの故障を検出する故障検出手段と、前記メモリが故障しているか否かを示す故障情報を有する記憶媒体を備えるとともに、前記情報管理装置は、前記プロセスカートリッジに装着された不揮発性メモリの情報を管理するメモリ情報管理手段と、ネットワーク識別手段と、メモリ情報をネットワークを介して送信する手段とを備え、前記プロセスカートリッジを前記画像形成装置に装着し、前記不揮発性メモリの故障を検出した場合、前記画像形成装置にプロセスカートリッジのシリアルナンバーを入力することで、ネットワーク経由で前記情報管理装置よりメモリ情報を取得するようにしたものである。
【０００８】
また、不揮発性メモリを備えたプロセスカートリッジが着脱自在な画像形成装置と、前記プロセスカートリッジの不揮発性メモリに記憶されるメモリ情報とを登録した情報管理装置を、ネットワークを介して接続したメモリ情報管理システムにおいて、前記画像形成装置は、前記メモリとデータの送受信をする通信手段と、前記メモリの故障を検出する故障検出手段と、前記メモリが故障しているか否かを示す故障情報を有する記憶媒体と、前記プロセスカートリッジ付属のＩＣタグが故障し、前記故障情報のフラグが立っている場合に前記ＩＣタグ内で管理する使用履歴に関わるプロセスカートリッジ情報を前記記憶媒体で管理する手段を備えるとともに、前記メモリ情報管理装置は、前記プロセスカートリッジに装着された不揮発性メモリの情報を管理するメモリ情報管理手段と、ネットワーク識別手段と、受信した情報に従ってメモリ情報を更新するメモリ情報更新手段とを備え、前記画像形成装置において管理した使用履歴に関わるプロセスカートリッジ情報を、前記メモリ情報管理装置が更新、管理できるようにしたものである。
【発明の効果】
【０００９】
したがって、本発明によれば、プロセスカートリッジに搭載されたＩＣタグが故障しているか否かを容易に検出することができるとともに、装置本体の記憶媒体に故障情報を記憶することにより、この故障情報をＩＣタグ故障時に必要となる様々な対処に対するトリガーとすることができるという効果を得る。
【発明を実施するための最良の形態】
【００１０】
以下、添付図面を参照しながら、本発明の実施の形態を詳細に説明する。
【００１１】
図１は、本発明の一実施例にかかるネットワーク対応プリンタ装置の一例を示している。
【００１２】
同図において、システム制御部１は、このネットワーク対応プリンタ装置の各部の動作制御、給紙制御、印刷制御、外部通信ユニットを介して行う外部装置との間の通信制御、ネットワークを介して図示しないメモリ情報管理装置との間で行う通信制御、および、ユーザがこのネットワーク対応プリンタ装置を操作する際の種々のユーザ・インタフェース処理等の種々のデータ処理を行うためのものであり、システムメモリ２は、システム制御部１が実行する種々の制御プログラムを記憶するとともに、システム制御部１のワークエリアを構成するものであり、パラメータメモリ３は、データ書き換え可能な不揮発性メモリ装置（例えば、メモリバックアップされたＳＲＡＭ装置、あるいは、ＮＶ−ＲＡＭ装置など）からなり、このネットワーク対応プリンタ装置に固有な種々の情報やプロセスカートリッジ（後述）に記憶された情報などを記憶するためのものであり、時計回路４は、現在時刻情報等を出力するためのものであり、操作表示部５は、ユーザがこのネットワーク対応プリンタ装置を操作するためのユーザ・インタフェースを構成するものである。
【００１３】
ページバッファメモリ６は、１ページ分の印刷データを保存するフレームメモリを構成するためのものであり、プリントユニット７は、ページバッファメモリ６に構成されたフレームメモリから印刷データを読み出して、用紙に画像を印刷するためのものである。また、このプリントユニット７は、画像プロセスに必要な消耗材等を供給するプロセスカートリッジ８が着脱可能に設けられている。
【００１４】
通信回路９は、プリントユニット７に装着されたプロセスカートリッジ８に設けられているＩＣタグとの間で通信を行い、プロセスカートリッジ８に設けられている不揮発性メモリ（後述）に記憶されている情報を読み取るためのものである。
【００１５】
外部通信ユニット１０は、ＵＳＢ（Ｕｎｉｖｅｒｓａｌ  Ｓｅｒｉａｌ  Ｂｕｓ）等の汎用通信ユニットからなり、パーソナルコンピュータ装置等、このネットワーク対応プリンタ装置を周辺装置として用いるホスト装置を接続し、当該ホスト装置との間でデータのやりとりを行うためのものである。
【００１６】
ネットワーク通信ユニット１１は、図示しないネットワークへ接続し、ネットワーク上に設けられているサービス会社のメモリ情報管理装置との間で、種々の情報をやりとりするためのものである。
【００１７】
これらのシステム制御部１、システムメモリ２、パラメータメモリ３、時計回路４、操作表示部５、ページバッファメモリ６、プリントユニット７、通信回路９、外部通信ユニット１０、および、ネットワーク通信ユニット１１は、内部バス１２に接続され、これらの各部のデータのやりとりは、主としてこの内部バス１２を介して行われる。
【００１８】
図２は、プロセスカートリッジ８に設けられるＩＣタグの一例を示している。
【００１９】
このＩＣタグは、非接触通信ユニット２０、種々の情報を登録したデータ書き換え可能な不揮発性メモリ２１、無線送信信号を送出するための送信アンテナ２２、および、無線受信信号を受信するための受信アンテナ２３から構成されている。
【００２０】
非接触通信ユニット２０は、不揮発性メモリ２１の内容を読み出したり、通信動作を制御するための制御回路２０ａ、送信データを変調する変調回路２０ｂ、変調回路２０ｂの出力送信信号を増幅して送信アンテナ２２へ送出する送信回路２０ｃ、受信アンテナ２３からの受信信号を増幅する受信回路２０ｄ、受信信号を復調して制御回路２０ａへ出力する復調回路２０ｅ、および、受信アンテナ２３から供給される電磁波を整流してＩＣタグに必要な電源を形成するための電源回路２０ｆから構成されている。
【００２１】
また、制御回路２０ａは、復調回路２０ｅから受信した信号が不揮発性メモリに記憶する信号であれば、その受信信号の内容を不揮発性メモリ２１に記憶する。また、制御回路２０ａは、受信信号が不揮発性メモリ２１の内容を送信する指令であれば、不揮発性メモリ２１の内容を読み出して送信する。また、受信信号が応答要求信号であれば、応答信号を送信する。
【００２２】
図３は、プロセスカートリッジ８がプリントユニット７に装着された場合のネットワーク対応プリンタ装置の処理の一例を示している。
【００２３】
まず、プロセスカートリッジ８がプリントユニット７に装着されたことを検知すると（処理１０１）、パラメータメモリ３に保存しているプロセスカートリッジ故障フラグをリセットする（処理１０２）。
【００２４】
続いて、通信回路９を用いて、応答要求信号をプロセスカートリッジ８へ送出する（処理１０３）。ここで、プロセスカートリッジ８から応答信号を受信した場合（判断１０の結果がＹＥＳ）、ＩＣタグは正常動作しているものとし、そのまま終了する。一方、応答信号を受信しない場合（判断１０４の結果がＮＯ）、ＩＣタグが故障しているものとし、パラメータメモリ３に保存しているプロセスカートリッジ故障フラグをセットして（処理１０５）、終了する。
【００２５】
ところで、プロセスカートリッジ８の情報を管理するサービス会社は、あらかじめ全ての消耗品の出荷時のＩＣタグ内のメモリ情報のバックアップを取っておき、サービス会社内のメモリ情報管理装置に記憶しておく。また、ネットワーク対応プリンタ装置にはサービス会社のネットワーク接続先をあらかじめ記憶させておく。
【００２６】
ネットワーク対応プリンタ装置は、図４に示した処理を実行して、プロセスカートリッジ８の情報を取得する。
【００２７】
次に、図５に示した処理を実行する。すなわち、故障フラグがセットされているか否かを確認する（判断４０１）。故障フラグが立っていない場合（判断４０１の結果がＮＯ）、ネットワーク対応プリンタ装置は、プロセスカートリッジ８にメモリー内容の送信を要求する信号を出力すう（処理４０２）。
【００２８】
それにより、プロセスカートリッジ８からは、不揮発性メモリ２１の内容をネットワーク対応プリンタ装置へ送信する。
【００２９】
そして、ネットワーク対応プリンタ装置は、受信した情報を元に装置のプロセス条件等の最適化を行う（処理４０３）。
【００３０】
一方、故障フラグがセットされている場合（判断４０１の結果がＹＥＳ）は、本体オペレーションパネル等にプロセスカートリッジ８のＩＣタグ情報が読み取れない旨を示し（処理４０４）、シリアル番号（Ｓ／Ｎ）の入力するか否かの選択肢を表示をする。
【００３１】
これに対して、ユーザがシリアル番号の入力を行うと（判断４０５の結果がＹＥＳ）、ネットワーク対応プリンタ装置は、ネットワークを介してＩＣタグ内のメモリ情報要求信号をメモリ情報管理装置へ送出する。このメモリ情報要求信号は、ユーザー識別コード、画像形成装置識別コード、プロセスカートリッジ識別コード、プロセスカートリッジシリアル番号等を含むものである。
【００３２】
一方、メモリ情報管理装置は、メモリ情報要求信号を受け、まず、相手先を特定する。そして、受信した信号のプロセスカートリッジのシリアル番号に従い、適切なＩＣタグのメモリ情報を選択し、上記特定した相手先へメモリ情報を送信する。
【００３３】
このようにして、メモリ情報管理装置よりメモリ情報を受信するので、ネットワーク対応プリンタ装置は、受信したメモリ情報をパラメータメモリ３に記憶した（処理４０７）、処理４０３へ進み、その情報に従いプロセス条件等の最適化を行う。
【００３４】
なお、ユーザがシリアル番号を入力せず、判断４０５の結果がＮＯになるときには、そのままプロセス条件等の最適化を行うことなく終了する。
【００３５】
図６，７は、本発明の他の実施例にかかる処理の一例を示している。
【００３６】
この場合、プロセスカートリッジ８に搭載されるＩＣタグが故障し、故障フラグが立っている場合、本来ＩＣタグに記憶するべき情報を、本体の記憶媒体に記憶する（図６参照）。
【００３７】
そして、新たにプロセスカートリッジ８がプリンタユニット７に装着されると（処理５０１）、ネットワーク対応プリンタ装置は、パラメータメモリ３に保存しているプロセスカートリッジ故障フラグがセットされているか否かを確認する（判断５０２）。
【００３８】
故障フラグがセットされていた場合（判断５０２の結果がＹＥＳ）には、前に装着されていたプロセスカートリッジ８のＩＣタグは故障してたことになるので、ネットワーク対応プリンタ装置は、メモリ情報をメモリ情報管理装置に送信する（処理５０３）。
【００３９】
この送信するメモリ情報は、本来ＩＣタグに記憶されるべきの前述した情報の他に、ユーザー識別コード、画像形成装置識別コード、プロセスカートリッジ識別コード、プロセスカートリッジシリアル番号等を含むものである。
【００４０】
次に本体記憶媒体の故障フラグをリセットし（処理５０４）、通信回路９を用いてプロセスカートリッジ８へ応答要求信号を送出する（処理５０５）。ここで、プロセスカートリッジ８から応答信号を受信するか否かを判断し（判断５０６）、判断５０６の結果がＮＯになるときには、パラメータメモリ３に保存しているプロセスカートリッジ故障フラグをセットする（処理５０７）。また、判断５０６の結果がＮＯになるときには、処理５０７を実行しない。
【００４１】
一方、故障フラグがセットされていない場合（判断５０２の結果がＮＯ）には、前に装着されていたプロセスカートリッジのＩＣタグは故障していなかったことになるので、処理５０５へ進み、そのまま新たに装着されたプロセスカートリッジ側通信回路に応答要求信号を発信する。
【００４２】
この場合、メモリ情報管理装置は、ネットワーク対応プリンタ装置からのメモリ情報を受信すると、相手先を特定した後、受信した信号のプロセスカートリッジのシリアル番号に従い適切なＩＣタグのメモリ情報を選択し、その情報を更新する。
【００４３】
このようにして、本実施例では、プロセスカートリッジに搭載されたＩＣタグが故障しているか否かを容易に検出することができる。また、装置本体の記憶媒体に故障情報を記憶することにより、この故障情報をＩＣタグ故障時に必要となる様々な対処に対するトリガーとすることができる。
【００４４】
また、プロセスカートリッジに搭載されたＩＣタグが故障している時でも、本システムでは、そのプロセスカートリッジにおけるプロセス条件の最適化を行うことができる。
【００４５】
また、ＩＣタグが故障している場合には、本来失われてしまう使用履歴に関わる情報（使用回数、使用日時等）も装置本体の記憶媒体にて正確に保持することができる。
【００４６】
また、使用履歴に関わる情報もメモリ情報管理装置において管理することにより、ＩＣタグが故障している場合においても、カートリッジ使用後に回収し、ＩＣタグの修理や交換等を行った後でその情報を書き込むことにより、リサイクル時等に有益な情報を正確に保持することができる。
【００４７】
なお、上述した実施例では、ネットワーク対応プリンタ装置に本発明を適用しているが、それ以外の画像形成装置についても、本発明を同様にして適用することができる。
【図面の簡単な説明】
【００４８】
【図１】本発明の一実施例にかかるネットワーク対応プリンタ装置の一例を示したブロック図。
【図２】プロセスカートリッジ８に設けられるＩＣタグの構成の一例を示したブロック図。
【図３】プロセスカートリッジ８が装着されたときの処理の一例を示したフローチャート。
【図４】ネットワーク対応プリンタ装置の処理の一例を示したフローチャート。
【図５】ネットワーク対応プリンタ装置の処理の他の例を示したフローチャート。
【図６】ネットワーク対応プリンタ装置の処理のさらに他の例を示したフローチャート。
【図７】プロセスカートリッジ８が装着されたときの処理の他の例を示したフローチャート。
【符号の説明】
【００４９】
１  システム制御部
２  システムメモリ
３  パラメータメモリ
７  プリントユニット
８  プロセスカートリッジ
９  通信回路
１１  ネットワーク通信ユニット
２１  不揮発性メモリ
【図１】
2006220920.tif 000003
【図２】
2006220920.tif 000004
【図３】
2006220920.tif 000005
【図４】
2006220920.tif 000006
【図５】
2006220920.tif 000007
【図６】
2006220920.tif 000008
【図７】
2006220920.tif 000009